(57)【要約】【課題】ＰＣとＬＡＮを介して接続される複写機において、ＰＣに装着されているＵＳＢメモリ内の画像ファイルをＬＡＮを介して取得してプリントするジョブを実行する際に、ユーザの操作性をより向上すること。【解決手段】ＰＣのユーザによるＰＣからのリモートログインを許可した複写機は、リモートログイン中に自己の操作パネルから操作者によるログインを受け付けると（Ｓ３２）、操作者の識別情報を保持して（Ｓ３３）、ジョブ選択画面を表示させる（Ｓ３４）。操作者からメモリプリントが選択されると、リモートログイン中であり（Ｓ３８）、操作パネルからログインした操作者がリモートログイン中のユーザである場合（Ｓ３９）、ＰＣにＬＡＮを介してアクセスし、ＰＣのＵＳＢメモリに格納されているファイルの情報を取得する。操作者によりファイルが選択されると、選択されたファイルをＰＣから取得して、取得したファイルに基づくプリントを実行する。【選択図】図８
2010212993.tif 000002
【特許請求の範囲】
【請求項１】
記録媒体が装着されている端末装置とネットワーク接続され、前記端末装置からのリモートログインを受け付けて画像処理ジョブを実行する画像処理装置であって、
前記リモートログインの際に取得された前記端末装置のネットワークアドレスと前記リモートログインを要求したユーザの識別情報を記憶する記憶手段と、
操作者からのログインと画像処理ジョブの指示入力を受け付ける入力手段と、
前記ログインを行った操作者の識別情報を取得する取得手段と、
前記ユーザの識別情報と操作者の識別情報に基づき、前記操作者が前記端末装置からのリモートログイン中のユーザであることを判断する判断手段と、
前記判断がなされた場合にその操作者による、前記入力手段からの画像処理ジョブの指示入力に基づき、前記ネットワークアドレスを用いて前記端末装置にアクセスの許可を受けて前記記録媒体に格納されている画像ファイルを取得する、または自装置が保持する画像ファイルを前記記録媒体に格納させるファイル操作手段と、
を備えることを特徴とする画像処理装置。
【請求項２】
前記端末装置に対し前記記録媒体へのアクセス許可を要求する要求手段を備え、
前記ファイル操作手段は、
前記アクセスが許可されると前記取得または格納を実行することを特徴とする請求項１に記載の画像処理装置。
【請求項３】
前記入力手段は、表示部を備え、
前記ファイル操作手段は、
前記操作者から前記記録媒体の指定を受け付けるための第１画面を前記表示部に表示させて、前記指定を受け付け、
前記指定された記録媒体について前記取得または格納を実行することを特徴とする請求項２に記載の画像処理装置。
【請求項４】
前記記録媒体とは別の少なくとも１つの記録媒体が前記端末装置に装着されており、
前記要求手段は、
前記複数の記録媒体それぞれに対するアクセス許可を要求し、
前記ファイル操作手段は、
前記アクセスが許可されると、許可された記録媒体それぞれの識別情報を前記第１画面に表示させることを特徴とする請求項３に記載の画像処理装置。
【請求項５】
前記記録媒体とは別の少なくとも１つの記録媒体が前記端末装置に装着されており、
前記ファイル操作手段は、
前記第１画面の表示前に、前記複数の記録媒体のうち、１以上の記録媒体の前記操作者からの選択を受け付けるための第２画面を前記表示部に表示させ、当該選択を受け付けると、当該選択された記録媒体それぞれの識別情報を前記第１画面に表示させ、
前記要求手段は、
前記選択された記録媒体のみに対してアクセス許可を要求することを特徴とする請求項３に記載の画像処理装置。
【請求項６】
前記ファイル操作手段は、
前記アクセス許可の条件にパスワードの一致が含まれている場合には、当該パスワードを当該端末装置から取得し、前記アクセス許可を受けるに際して前記取得したパスワードを前記端末装置に送り、前記端末装置によりアクセスが許可されると前記取得または格納を実行することを特徴とする請求項２乃至５のいずれか１項に記載の画像処理装置。
【請求項７】
前記要求手段は、
前記判断手段による判断がなされた後に、前記アクセスの許可を要求することを特徴とする請求項２乃至６のいずれか１項に記載の画像処理装置。
【請求項８】
前記アクセスの許可は、前記端末装置と前記記録媒体を共有することの許可であることを特徴とする請求項１乃至６のいずれか１項に記載の画像処理装置。
【請求項９】
前記入力手段は、前記操作者からのログアウトの指示入力を受け付け、
前記要求手段は、前記ログアウトの指示入力が受け付けられると、前記端末装置に対して前記共有の解除を要求することを特徴とする請求項８に記載の画像処理装置。
【請求項１０】
前記記録媒体は、前記端末装置に着脱自在な可搬型の記録媒体であることを特徴とする請求項１乃至９のいずれか１項に記載の画像処理装置。
【請求項１１】
記録媒体が装着されている端末装置と、前記端末装置からのリモートログインを受け付ける画像処理装置とがネットワーク接続されてなる画像処理システムであって、
前記画像処理装置は、
前記リモートログインの際に取得された前記端末装置のネットワークアドレスと前記リモートログインを要求したユーザの識別情報を記憶する記憶手段と、
操作者からのログインと画像処理ジョブの指示入力を受け付ける入力手段と、
前記ログインを行った操作者の識別情報を取得する取得手段と、
前記ユーザの識別情報と操作者の識別情報に基づき、前記操作者が前記端末装置からのリモートログイン中のユーザであることを判断する判断手段と、
前記判断がなされた場合にその操作者による、前記入力手段からの画像処理ジョブの指示入力に基づき、前記ネットワークアドレスを用いて前記端末装置にアクセスの許可を受けて前記記録媒体に格納されている画像ファイルを取得する、または自装置が保持する画像ファイルを前記記録媒体に格納させるファイル操作手段と、
を備えることを特徴とする画像処理システム。
【請求項１２】
前記画像処理装置は、
前記端末装置に対し前記記録媒体へのアクセス許可を要求する要求手段を備え、
前記ファイル操作手段は、
前記アクセスが許可されると前記取得または格納を実行することを特徴とする請求項１１に記載の画像処理システム。
【請求項１３】
前記入力手段は、表示部を備え、
前記ファイル操作手段は、
前記操作者から前記記録媒体の指定を受け付けるための第１画面を前記表示部に表示させて、前記指定を受け付け、
前記指定された記録媒体について前記取得または格納を実行することを特徴とする請求項１２に記載の画像処理システム。
【請求項１４】
前記端末装置には前記記録媒体とは別の少なくとも１つの記録媒体が装着されており、
前記要求手段は、
前記複数の記録媒体それぞれに対するアクセス許可を要求し、
前記ファイル操作手段は、
前記アクセスが許可されると、許可された記録媒体それぞれの識別情報を前記第１画面に表示させることを特徴とする請求項１３に記載の画像処理システム。
【請求項１５】
前記端末装置には前記記録媒体とは別の少なくとも１つの記録媒体が装着されており、
前記ファイル操作手段は、
前記第１画面の表示前に、前記複数の記録媒体のうち、１以上の記録媒体の前記操作者からの選択を受け付けるための第２画面を前記表示部に表示させ、当該選択を受け付けると、当該選択された記録媒体それぞれの識別情報を前記第１画面に表示させ、
前記要求手段は、
前記選択された記録媒体のみに対してアクセス許可を要求することを特徴とする請求項１３に記載の画像処理システム。
【請求項１６】
前記ファイル操作手段は、
前記アクセス許可の条件にパスワードの一致が含まれている場合には、当該パスワードを当該端末装置から取得し、前記アクセス許可を受けるに際して前記取得したパスワードを前記端末装置に送り、前記端末装置によりアクセスが許可されると前記取得または格納を実行することを特徴とする請求項１２乃至１５のいずれか１項に記載の画像処理システム。
【請求項１７】
前記要求手段は、
前記判断手段による判断がなされた後に、前記アクセスの許可を要求することを特徴とする請求項１２乃至１６のいずれか１項に記載の画像処理システム。
【請求項１８】
前記アクセスの許可は、前記端末装置と前記記録媒体を共有することの許可であることを特徴とする請求項１１乃至１６のいずれか１項に記載の画像処理システム。
【請求項１９】
前記入力手段は、前記操作者からのログアウトの指示入力を受け付け、
前記要求手段は、前記ログアウトの指示入力が受け付けられると、前記端末装置に対して前記共有の解除を要求することを特徴とする請求項１８に記載の画像処理システム。
【請求項２０】
前記記録媒体は、前記端末装置に着脱自在な可搬型の記録媒体であることを特徴とする請求項１１乃至１９のいずれか１項に記載の画像処理システム。
【発明の詳細な説明】
【技術分野】
【０００１】
本発明は、端末装置とネットワーク接続され、当該端末装置からのリモートログインを受け付ける画像処理装置および画像処理システムに関する。
【背景技術】
【０００２】
画像処理装置の例としての複写機と、端末装置の例としてのパーソナルコンピュータ（ＰＣ）とがネットワーク接続され、ＰＣのユーザがＰＣからネットワークを介して複写機にリモートログインして、ＰＣから複写機を遠隔操作するリモートパネル機能を有する画像処理システムが提案されている。リモートパネル機能を用いると、リモートログイン中に、ＰＣのディスプレイに複写機の操作パネルと略同じ操作画面が表示されるので、ＰＣのユーザは、その操作画面からコピーやスキャン等のジョブやその実行条件、例えばコピー用紙の選択などを入力してそのジョブを複写機で実行させることができる。ＰＣ上で複写機の前で操作しているのと同じ感覚でジョブの実行を指示することができる。
【先行技術文献】
【特許文献】
【０００３】
【特許文献１】特開平１０−１５０５２１号公報
【特許文献２】特開２００８−２８６９７８号公報
【発明の概要】
【発明が解決しようとする課題】
【０００４】
上記のリモートパネル機能を用いれば、ＰＣに接続されている記録媒体、例えばＵＳＢ（Universal Serial Bus）メモリに格納されている画像などのファイルに基づくプリント（以下、「メモリプリント」という。）を複写機に実行させることも可能である。このメモリプリントをＰＣから実行しようとすると、ユーザは、複写機にリモートログインした後、ＰＣのディスプレイに表示される操作画面から用紙選択などを行うことになる。
【０００５】
その際、自己の希望するサイズの用紙が複写機にセットされていない場合には、ＰＣでの入力操作を一旦中断して、複写機の前まで移動し、希望する用紙を複写機にセットするといった行動をとる必要が生じる。
用紙のセットを終えるとユーザは、ＰＣまで戻って中断していたメモリプリントの操作を継続することができるが、プリント出力後に再度、出力物を取りに複写機まで戻ってくるという動作を行うことになり、ユーザにとっては面倒である。この面倒な動作をしたくない場合には、リモート操作によるメモリプリントを諦めて、リモートとは別の方法で複写機側からの操作によりプリントを行う方法、例えば複写機が有するプルプリント機能を利用する方法をとることが可能である。
【０００６】
プルプリント機能は、複写機側から公知のファイル共有プロトコル、例えばＳＭＢ（Server Message Block）を用いてＰＣとの間で共有している画像ファイルを取得して、取得したファイルに基づきプリントを実行する機能である。プルプリント機能が選択されると、まず複写機の操作パネルにＰＣへのアクセス用の画面が表示される。
ユーザは、その画面からＰＣのネットワークアドレス、ＰＣにログインするときのユーザ名やパスワードなどの入力操作を行うことになる。ところが、ユーザにとっては、ネットワークアドレスなどの入力に必要な情報を事前に知らなければ操作できず、知っていても複写機の操作パネルには通常、テンキーしかなくアルファベットなどの文字入力は、液晶表示部の画面をタッチ入力画面に切り換えて行われるため、ユーザはアドレスなどの項目毎に、入力画面の切り換え操作と共に一文字ずつタッチ入力する操作を行うことになり、入力の手間が大きい。
【０００７】
このような問題は、メモリプリントに限られず、例えばリモート操作でスキャンジョブを実行する場合にも同様に生じ得る。具体的には、次のような場合である。
すなわち、スキャンジョブでは、ユーザがＰＣ側でリモートパネルからスキャンジョブを選択すると共に読取画像データの格納先としてＰＣ上の記録媒体を指定した上で原稿の読取濃度などを入力する。その後、複写機に移動して、複写機のスキャナ部に原稿をセットした後、ＰＣに戻ってリモートパネルからジョブをスタートさせる。これにより、複写機側で読み取られた画像データがＰＣに送られてＰＣの記録媒体に格納される。
【０００８】
上記の手順の際に、例えばユーザが複写機の前まで移動したがＰＣとは別の場所への移動の必要が生じる場合がある。この場合、原稿セット後、ＰＣには戻らずに複写機側でスキャンジョブを開始させて読取後の原稿を持って別の場所に向かうことが望ましい。ＰＣに戻らずにスキャンジョブを実行する方法としては、上記のプルプリントと同様に複写機側でＰＣとの共有に基づき読取画像の格納先ファイルをＰＣ上の記録媒体に指定するという操作、いわゆるScan To SMBと呼ばれる方法がある。しかしながら、この方法は上記のプルプリントと同様の入力操作が必要になるため入力の手間が生じることになる。
【０００９】
本発明は、上記の問題点に鑑みてなされたものであって、端末装置に接続されている記録媒体に格納されている画像ファイルをプリントに供するなどの画像処理ジョブを実行する際に、ユーザの操作性の向上をより図ることができる画像処理装置および画像処理システムを提供することを目的としている。
【課題を解決するための手段】
【００１０】
上記目的を達成するため、本発明に係る画像処理装置は、記録媒体が装着されている端末装置とネットワーク接続され、前記端末装置からのリモートログインを受け付けて画像処理ジョブを実行する画像処理装置であって、前記リモートログインの際に取得された前記端末装置のネットワークアドレスと前記リモートログインを要求したユーザの識別情報を記憶する記憶手段と、操作者からのログインと画像処理ジョブの指示入力を受け付ける入力手段と、前記ログインを行った操作者の識別情報を取得する取得手段と、前記ユーザの識別情報と操作者の識別情報に基づき、前記操作者が前記端末装置からのリモートログイン中のユーザであることを判断する判断手段と、前記判断がなされた場合にその操作者による、前記入力手段からの画像処理ジョブの指示入力に基づき、前記ネットワークアドレスを用いて前記端末装置にアクセスの許可を受けて前記記録媒体に格納されている画像ファイルを取得する、または自装置が保持する画像ファイルを前記記録媒体に格納させるファイル操作手段と、を備えることを特徴とする。
【００１１】
また、前記端末装置に対し前記記録媒体へのアクセス許可を要求する要求手段を備え、前記ファイル操作手段は、前記アクセスが許可されると前記取得または格納を実行することを特徴とする。
さらに、前記入力手段は、表示部を備え、前記ファイル操作手段は、前記操作者から前記記録媒体の指定を受け付けるための第１画面を前記表示部に表示させて、前記指定を受け付け、前記指定された記録媒体について前記取得または格納を実行することを特徴とする。
【００１２】
また、前記記録媒体とは別の少なくとも１つの記録媒体が前記端末装置に装着されており、前記要求手段は、前記複数の記録媒体それぞれに対するアクセス許可を要求し、前記ファイル操作手段は、前記アクセスが許可されると、許可された記録媒体それぞれの識別情報を前記第１画面に表示させることを特徴とする。
さらに、前記記録媒体とは別の少なくとも１つの記録媒体が前記端末装置に装着されており、前記ファイル操作手段は、前記第１画面の表示前に、前記複数の記録媒体のうち、１以上の記録媒体の前記操作者からの選択を受け付けるための第２画面を前記表示部に表示させ、当該選択を受け付けると、当該選択された記録媒体それぞれの識別情報を前記第１画面に表示させ、前記要求手段は、前記選択された記録媒体のみに対してアクセス許可を要求することを特徴とする。
【００１３】
また、前記ファイル操作手段は、前記アクセス許可の条件にパスワードの一致が含まれている場合には、当該パスワードを当該端末装置から取得し、前記アクセス許可を受けるに際して前記取得したパスワードを前記端末装置に送り、前記端末装置によりアクセスが許可されると前記取得または格納を実行することを特徴とする。
さらに、前記要求手段は、前記判断手段による判断がなされた後に、前記アクセスの許可を要求することを特徴とする。
【００１４】
また、前記アクセスの許可は、前記端末装置と前記記録媒体を共有することの許可であることを特徴とする。
ここで、前記入力手段は、前記操作者からのログアウトの指示入力を受け付け、前記要求手段は、前記ログアウトの指示入力が受け付けられると、前記端末装置に対して前記共有の解除を要求することを特徴とする。
【００１５】
また、前記記録媒体は、前記端末装置に着脱自在な可搬型の記録媒体であることを特徴とする。
本発明に係る画像処理システムは、記録媒体が装着されている端末装置と、前記端末装置からのリモートログインを受け付ける画像処理装置とがネットワーク接続されてなる画像処理システムであって、前記画像処理装置は、前記リモートログインの際に取得された前記端末装置のネットワークアドレスと前記リモートログインを要求したユーザの識別情報を記憶する記憶手段と、操作者からのログインと画像処理ジョブの指示入力を受け付ける入力手段と、前記ログインを行った操作者の識別情報を取得する取得手段と、前記ユーザの識別情報と操作者の識別情報に基づき、前記操作者が前記端末装置からのリモートログイン中のユーザであることを判断する判断手段と、前記判断がなされた場合にその操作者による、前記入力手段からの画像処理ジョブの指示入力に基づき、前記ネットワークアドレスを用いて前記端末装置にアクセスの許可を受けて前記記録媒体に格納されている画像ファイルを取得する、または自装置が保持する画像ファイルを前記記録媒体に格納させるファイル操作手段と、を備えることを特徴とする。
【００１６】
また、前記画像処理装置は、前記端末装置に対し前記記録媒体へのアクセス許可を要求する要求手段を備え、前記ファイル操作手段は、前記アクセスが許可されると前記取得または格納を実行することを特徴とする。
さらに、前記入力手段は、表示部を備え、前記ファイル操作手段は、前記操作者から前記記録媒体の指定を受け付けるための第１画面を前記表示部に表示させて、前記指定を受け付け、前記指定された記録媒体について前記取得または格納を実行することを特徴とする。
【００１７】
また、前記端末装置には前記記録媒体とは別の少なくとも１つの記録媒体が装着されており、前記要求手段は、前記複数の記録媒体それぞれに対するアクセス許可を要求し、前記ファイル操作手段は、前記アクセスが許可されると、許可された記録媒体それぞれの識別情報を前記第１画面に表示させることを特徴とする。
さらに、前記端末装置には前記記録媒体とは別の少なくとも１つの記録媒体が装着されており、前記ファイル操作手段は、前記第１画面の表示前に、前記複数の記録媒体のうち、１以上の記録媒体の前記操作者からの選択を受け付けるための第２画面を前記表示部に表示させ、当該選択を受け付けると、当該選択された記録媒体それぞれの識別情報を前記第１画面に表示させ、前記要求手段は、前記選択された記録媒体のみに対してアクセス許可を要求することを特徴とする。
【００１８】
また、前記ファイル操作手段は、前記アクセス許可の条件にパスワードの一致が含まれている場合には、当該パスワードを当該端末装置から取得し、前記アクセス許可を受けるに際して前記取得したパスワードを前記端末装置に送り、前記端末装置によりアクセスが許可されると前記取得または格納を実行することを特徴とする。
さらに、前記要求手段は、前記判断手段による判断がなされた後に、前記アクセスの許可を要求することを特徴とする。
【００１９】
また、前記アクセスの許可は、前記端末装置と前記記録媒体を共有することの許可であることを特徴とする。
ここで、前記入力手段は、前記操作者からのログアウトの指示入力を受け付け、前記要求手段は、前記ログアウトの指示入力が受け付けられると、前記端末装置に対して前記共有の解除を要求することを特徴とする。
【００２０】
さらに、前記記録媒体は、前記端末装置に着脱自在な可搬型の記録媒体であることを特徴とする。
【発明の効果】
【００２１】
このような構成により、端末装置からのリモートログイン中のユーザが画像処理装置の前まで移動して画像処理装置の入力手段からログインした後、画像処理ジョブを指示すれば、画像処理装置が端末装置にアクセスして、画像処理ジョブがファイルの取得を示すものであれば、端末装置に装着されている記録媒体からファイルを取得するジョブが実行され、または画像処理ジョブがファイルの格納を示すものであれば、端末装置に装着されている記録媒体にファイルを格納するジョブが実行される。従って、従来のように端末装置へのアクセスのためにユーザが画像処理装置の入力手段からネットワークアドレスやユーザ名、パスワードなどを入力するといった手間が不要になり、操作性が向上する。
【図面の簡単な説明】
【００２２】
【図１】端末装置と画像処理装置を含む画像処理システムの構成を示す図である。
【図２】画像処理装置としてのＭＦＰの制御部と端末装置としてのＰＣの制御部の構成を示すブロック図である。
【図３】画像処理システムを利用するユーザの操作手順を説明するための図である。
【図４】ＭＦＰの操作パネルに表示される画面の表示例を示す図である。
【図５】ＰＣにおいて実行される処理内容を示すフローチャートである。
【図６】ＭＦＰにおいてＰＣからの認証要求を受け付けたときに実行される処理内容を示すフローチャートである。
【図７】ＭＦＰに設けられているログイン情報テーブルの内容例を示す図である。
【図８】ＭＦＰにおいて操作者により操作パネルからログインの要求を受け付けたときに実行される処理内容の一部を示すフローチャートである。
【図９】ＭＦＰにおいて操作者により操作パネルからログインの要求を受け付けたときに実行される処理内容の別の一部を示すフローチャートである。
【図１０】ＭＦＰにおいて操作者により操作パネルからログインの要求を受け付けたときに実行される処理内容の残りの部分を示すフローチャートである。
【図１１】ＭＦＰの操作パネルに表示される一覧画面の表示例を示す図である。
【図１２】ＭＦＰに設けられている共有設定テーブルの内容例を示す図である。
【図１３】ＰＣがリモートログイン中にＭＦＰからのＵＳＢメモリのパスの送信要求を受け付けたときにＰＣにおいて実行される処理内容を示すフローチャートである。
【図１４】ＰＣがリモートログイン中にＭＦＰからＵＳＢメモリの共有設定の要求を受け付けたときにＰＣにおいて実行される処理内容を示すフローチャートである。
【図１５】ＰＣがリモートログイン中にＭＦＰからＵＳＢメモリへのアクセス要求を受け付けたときにＰＣ２において実行される処理内容を示すフローチャートである。
【図１６】ＰＣがリモートログイン中にＭＦＰからＵＳＢメモリの共有設定解除の要求を受け付けたときにＰＣ２において実行される処理内容を示すフローチャートである。
【図１７】ＭＦＰからＰＣに戻ったユーザがリモートログイン中にＰＣのログアウトを行うときにＰＣにおいて実行される処理内容を示すフローチャートである。
【発明を実施するための形態】
【００２３】
以下、本発明に係る画像処理装置および画像処理システムの実施の形態を、図面を参照しながら説明する。
＜画像処理システムの構成＞
図１は、画像処理装置１と端末装置２を含む画像処理システム１０の構成を示す図である。同図に示すように、画像処理システム１０は、画像処理装置１と端末装置２等がネットワーク、ここではＬＡＮ（Local Area Network）３を介して接続されて構成されており、互いに各種データのやりとりが可能になっている。
【００２４】
画像処理装置１は、多機能デジタル複写機（以下、「ＭＦＰ（Multiple Function Peripheral）」という。）であり、主な構成要素として自動原稿搬送装置１１と、画像読取部１２と、画像形成部１３と、給送部１４と、操作パネル１５と、制御部１６とを備える。  自動原稿搬送装置１１は、セットされた原稿を画像読取部１２の読取位置に搬送する。
画像読取部１２は、自動原稿搬送装置１１により搬送される原稿の画像を読み取る。
【００２５】
画像形成部１３は、公知の電子写真方式により画像形成動作（プリント）を実行する。
給送部１４は、画像形成に供されるシートを収容し、画像形成時にそのシートを１枚ずつ画像形成部１３に給送する。
制御部１６は、自動原稿搬送装置１１〜給送部１４の動作を統括的に制御して、原稿の画像を読み取るスキャンジョブ、読み取って得られた画像をシート上にプリントするコピージョブ、外部の端末装置２からのリモートログインを受け付けて、端末装置２からの遠隔操作によるジョブ、例えばメモリプリントなどの各種ジョブを実行する。リモートログインが受け付けられると、端末装置２からのログアウトを受け付けるまでの間、両者間で通信が確立される。
【００２６】
操作パネル１５は、コピースタートボタンや枚数設定用のテンキーなどの他、表面にタッチパネルが積層されたＧＵＩ（Graphical User Interface）などによる液晶表示部が設けられており、制御部１６の指示により必要な画面を表示させると共に操作者によるテンキー等の入力、タッチ入力等を受け付けて、受け付けた入力情報を制御部１６に伝える。
端末装置２は、パーソナルコンピュータ（以下、「ＰＣ」という。）であり、本体部２１と、ディスプレイ２２と、キーボード２３などを備え、既存の通信プロトコル（TCP/IP(Transmission Control Protocol/Internet Protocol等）によりＬＡＮ３を介してＭＦＰ１や他の端末などと接続され、データの送受信を行うようになっている。
【００２７】
本体部２１には、着脱自在の記録媒体の一例としてのＵＳＢメモリ２５を接続するためのインターフェースが設けられており、本体部２１内の制御部２４は、このインターフェースを介してＵＳＢメモリ２５内の画像ファイルを読み出したり、新たな画像ファイルを書き込んだりすることもできる。なお、各ＵＳＢメモリには、予めＵＳＢメモリであることを示す識別のための名称等が記録されており、ＰＣ２は、ＵＳＢメモリが接続されるとＵＳＢメモリであることおよびその名称等を識別することができる。
【００２８】
ここで、画像ファイルとは、画像を現すために用いられるデータのファイルを意味し、従ってビットマップ展開された画像データに限られず、例えばＰＣにおいて文書等の作成用のアプリケーションソフトウェアにより作成されたデータなど、最終的にシート上やディスプレイ上に画像を現すために用いられるデータのファイルを含むものである。以下、単に「ファイル」という。
【００２９】
ＰＣ２は、ＵＳＢメモリ２５が接続されている場合に、ＭＦＰ１へのリモートログインによるメモリプリントをＭＦＰ１に実行させることができる。なお、ＵＳＢメモリ２５は、１つでも良いし、複数、接続される構成であっても良い。同図では示していないが、ＭＦＰ１にもＵＳＢメモリ２５が接続可能なインターフェースが設けられており、ＭＦＰ１の制御部１６は、ＵＳＢメモリ２５内のファイルを読み出してプリントする機能や、スキャンジョブで読み取って得られた画像を格納させる機能などを有している。
【００３０】
＜ＭＦＰとＰＣの制御部の構成＞
図２は、ＭＦＰ１の制御部１６とＰＣ２の制御部２４の構成を示すブロック図であり、主にメモリプリントに関係する部分だけを抜き出して示している。
同図に示すように、制御部１６は、全体制御部１０１と、表示受付制御部１０２と、ユーザ管理部１０３と、共有要求部１０４と、ネットワーク参照部１０５と記憶部１０６などを備える。
【００３１】
表示受付制御部１０２は、操作パネル１５の液晶表示部に操作パネル１５からのログインを受け付けるための画面（不図示）や後述の各種画面を表示させると共に、その画面から操作者の指示を受け付ける制御を行う。
ユーザ管理部１０３は、自装置（ＭＦＰ１）へのログインを許可するユーザを示す許可情報、例えばユーザそれぞれの識別情報、具体的にはユーザＩＤとパスワードを示す情報を管理しており、ログイン要求された場合にその要求を行ったユーザにより入力されたユーザＩＤとパスワードが許可情報に含まれている場合にだけログインを許可する。このログインには、操作パネル１５からのログインと、ＰＣ２からのリモートログインの両方が含まれる。また、操作パネル１５からログインした操作者が、ＰＣ２からのリモートログイン中のユーザであることを判断する。
【００３２】
共有要求部１０４は、ＰＣ２の制御部２４の共有処理部２０３に、ＰＣ２に接続されているＵＳＢメモリ２５をＭＦＰ１（自装置）との間で共有することの許可を要求する。ここでは、ＳＭＢによる共有が要求される。この要求に対してＰＣ２は、後述のようにＳＭＢ共有の許可条件となるパスワードなどをＭＦＰ１に送信するようになっている。
ネットワーク参照部１０５は、ＰＣ２からのパスワードに基づきＰＣ２にアクセスし、共有されたＵＳＢメモリ２５とそのＵＳＢメモリ２５内のファイルなどをＳＭＢにより参照、検索等を行うことができる。なお、ＳＭＢに限られず、装置間でファイル共有が可能なプロトコルを用いることができる。
【００３３】
記憶部１０６には、後述のログイン情報テーブルなどが設けられている。
全体制御部１０１は、表示受付制御部１０２〜ネットワーク参照部１０５を統括して制御してメモリプリントを実行させる。
ＰＣ２の制御部２４は、リモート操作部２０１と、ＵＳＢメモリ管理部２０２と、共有処理部２０３などを備える。
【００３４】
リモート操作部２０１は、リモートパネル機能を実行する。具体的には、リモートパネル機能を実行するための各種画面、ここでは図示していないが、例えばリモートログインをＭＦＰ１に要求するためのリモート要求画面、リモートログインされた後にユーザからのジョブ実行条件や実行指示を受け付けるためのリモート操作画面などをユーザの指示に応じて表示させると共に、各画面を介してユーザからの入力や指示などを受け付け、指示されたジョブの実行をＭＦＰ１に要求する。
【００３５】
共有処理部２０３は、ＭＦＰ１の共有要求部１０４からの共有の許可要求を受け付けると、一時的なパスワードを生成して、生成したパスワードと共に共有要求があった旨をＵＳＢメモリ管理部２０２に知らせる。
ＵＳＢメモリ管理部２０２は、共有処理部２０３からパスワードと共に共有要求を受け付けると、受け付けたパスワードを共有の許可条件として管理すると共に、そのパスワードをＭＦＰ１のユーザ管理部１０３に送る。
【００３６】
＜ユーザの操作手順＞
このような構成においてあるユーザ（以下、ユーザＺという。）がメモリプリントを実行しようとＰＣ２で操作している途中で、ＭＦＰ１に移動する必要が生じたためにＭＦＰ１に移動すると仮定した場合のユーザＺの操作手順を、図３と図４を用いて説明する。
（１）図３に示すようにユーザＺは、ＰＣ２にＵＳＢメモリ２５を挿入した後、（２）ＰＣ２においてリモートパネル機能を起動して、（３）リモート要求画面からリモートログインのための入力操作を行う。リモートログインに成功すると、リモート操作画面において、メモリプリントのための入力操作、具体的にはプリント部数や用紙サイズの選択、ＵＳＢメモリ２５に格納されているファイル群のうち、プリントに供すべきファイルの指定などの操作を行う。
【００３７】
（４）この操作の際（リモートログイン中）にユーザＺは、ＭＦＰ１に希望の用紙をセットするなど、ＭＦＰ１に移動する必要が生じた場合にＭＦＰ１の前まで移動する。
（５）ユーザＺは、希望の用紙をＭＦＰ１にセットすると、ＭＦＰ１の操作パネル１５からログインする。ログインすると、操作パネル１５の液晶表示部にジョブ選択画面１１１（図４（ａ））が表示される。
【００３８】
（６）ユーザＺは、ジョブ選択画面１１１のメモリプリントキー１２１をタッチ入力（選択）する。この選択により操作パネル１５の液晶表示部の画面が切り換わり、ファイル取得先選択画面１１２（図４（ａ））が表示される。
（７）ユーザＺは、ファイル取得先選択画面１１２のＵＳＢメモリキー１２２を選択する。この選択によりＵＳＢメモリ選択画面１１３（図４（ａ））が表示される。
【００３９】
（８）ユーザＺは、ＵＳＢメモリ選択画面１１３のＰＣ／ＵＳＢメモリキー１２３を選択する。この選択により画面が切り換わり、ファイル選択画面１１４（図４（ａ））が表示される。ファイル選択画面１１４には、ＰＣ２に接続されているＵＳＢメモリ２５内のファイルの識別情報、同図ではファイル名を示すキー１２４がアイコン表示される。
ユーザＺは、表示されているファイル群のうちから、プリントを希望するファイルを選択することができる。この選択により画面が切り換わり、メモリプリント実行画面（不図示）が表示される。このメモリプリント実行画面は、ジョブ実行条件の入力とジョブ実行を指示するための画面である。ユーザＺは、例えば用紙選択やプリント部数の設定などを行った後、実行を指示することができる。
【００４０】
（９）ジョブ実行指示により、ＭＦＰ１において、上記（８）のファイル選択画面１１４で選択されたファイルがＰＣ２のＵＳＢメモリ２５からＬＡＮ３を介して取得され、取得されたファイルに基づくメモリプリントが実行される。ユーザＺは、ＭＦＰ１から出力される、メモリプリントによるプリント物を入手することができる。
図４（ｂ）は、比較例（従来に相当）を示しているが、従来ではユーザＺは、ファイル取得先選択画面１１２でＵＳＢメモリキー１２２ではなくＳＭＢキー２１０を選択していた。これは、従来ではＵＳＢメモリキー１２２が自装置（ＭＦＰ１）に接続されているＵＳＢメモリだけを表わすものだったため、これを選択してもＵＳＢメモリ選択画面１１３ではＭＦＰ１のＵＳＢメモリＡキーだけが表示され、ＰＣ／ＵＳＢメモリキー１２３が表示されず、ＰＣ２のＵＳＢメモリ２５を選択できる構成になっていなかったからである。
【００４１】
ファイル取得先選択画面１１２においてユーザＺによりＳＭＢキー２１０が選択されると、上述のプルプリント機能によるファイル取得の処理に入る。このプルプリント機能は、ＰＣ２からのリモートログインによるメモリプリントとは別の新たな処理になる。
図４（ｂ）のＳＭＢ情報画面２１１に切り換わり、ユーザＺは、ＳＭＢ情報画面２１１の入力ボックス２２１においてホスト名、ネットワークアドレス、ユーザ名、パスワードを入力することができる。この入力情報に基づきＰＣ２との間でＳＭＢプロトコルによる通信が成功すると、フォルダ選択画面２１２に切り換わる。フォルダ選択画面２１２には、ＰＣ２において共有設定されているフォルダ群がアイコン表示される。
【００４２】
ユーザＺは、フォルダ群の中からＵＳＢメモリ２５を示すＵＳＢメモリキー２２２を選択すると、ファイル選択画面２１３が表示される。ファイル選択画面２１３は、ファイル選択画面１１４と略同じものである。ユーザＺは、表示されているファイル群のうちから、プリントに供すべきファイル２２３を選択することができる。
このように比較例では、ＰＣ２からＭＦＰ１に移動したユーザＺは、ＭＦＰ１においてＳＭＢ共有のための入力操作を最初から実行して始めて、ＰＣ２に接続されているＵＳＢメモリ２５のファイルを選択することが可能になる。
【００４３】
これに対して実施例では、画面表示されているアイコンを選択して行くだけでＰＣ２のＵＳＢメモリ２５のファイル選択が可能になり、比較例のようにネットワークアドレス等の入力の手間が不要である。また、アイコンを選択していくという操作であり、リモートパネル機能としてＰＣ２上で操作していたメモリプリントの操作に近いので、ユーザＺにとってはＰＣ２での操作と同じ感覚で容易に操作を行えるようになる。
【００４４】
＜ＭＦＰとＰＣの処理内容＞
以下、画像処理システム１０においてＰＣ２からのリモートログインによるメモリプリントを実行する場合におけるＭＦＰ１とＰＣ２それぞれの処理内容を具体的に説明する。
（１）ＰＣの処理内容１
図５は、ＰＣ２において実行される処理内容を示すフローチャートである。当該処理は、制御部２４において実行される。
【００４５】
同図に示すように、ユーザからのログインの要求、ここではユーザ識別情報、例えばユーザ名とパスワードの入力を受け付ける（ステップＳ１）。具体的には、ユーザ識別情報を入力するための画面をディスプレイ２２に表示させる。ユーザにより入力されたユーザ識別情報に基づきログインを受け付けるか否かを判断する（ステップＳ２）。
この判断は、入力されたユーザ名とパスワードが、予めＰＣ２に記憶されている許可情報（ＰＣ２へのログインを許可するユーザそれぞれの識別情報、例えばユーザ名とパスワードを示す情報）に含まれている場合に、ログインを受け付け（ログインを許可し）、許可情報に含まれていない場合には、ログインを受け付けない（許可しない）。
【００４６】
ログインを受け付けないことを判断すると（ステップＳ２で「ＮＯ」）、当該処理を終了する。ログインを受け付けることを判断すると（ステップＳ２で「ＹＥＳ」）、入力されたユーザ識別情報を保持する（ステップＳ３）。
ユーザによりＵＳＢメモリ２５がＰＣ２に接続され（ステップＳ４）、ユーザによりリモートパネル機能が指示されるとリモートパネル機能を起動する（ステップＳ５）。ここでは、まずリモート要求画面をディスプレイ２２に表示させ、リモート要求画面を介してユーザからのリモートログインの指示を受け付けると、ＭＦＰ１に対してリモートログインのための認証要求を行う（ステップＳ６）。認証要求の際には、ＰＣ２の識別情報やステップＳ３にて保持されているユーザ識別情報などがＭＦＰ１に送信される。
【００４７】
なお、ＰＣ２へのログインが不要な設定になっている場合には、ステップＳ１〜Ｓ３が実行されず、リモート要求画面においてユーザ識別情報の入力を受け付けて、入力されたユーザ識別情報が保持される。
ＭＦＰ１からの認証結果を受信すると、認証結果から認証されたか否かを判断する（ステップＳ７）。認証されなかった場合には（ステップＳ７で「ＮＯ」）、当該処理を終了する。認証された場合には（ステップＳ７で「ＹＥＳ」）、リモートログイン成功と判断して（ステップＳ８）、ディスプレイ２２にＭＦＰ１の操作パネル１５と同じデザインのメニュー画面を表示させる（ステップＳ９）。ここでは、ＰＣ２は、ＭＦＰ１からリモート操作画面表示用のデータを取得してメニュー画面（不図示）を表示させる。表示画面には、メニュー画面以外にユーザの指示による種々の画面が含まれるが、それぞれがＭＦＰ１の操作パネル１５上で表示されるときの画面と基本的に同じデザインになっている。
【００４８】
ＰＣ２は、各画面においてＰＣ２のユーザによる入力を受け付けると、受け付けた入力情報をＭＦＰ１に送り、ＭＦＰ１から別の画面表示の指示があるとその別の画面に切り換える。いわばリモート操作では、ＰＣ２は、ＭＦＰ１の操作パネル１５に対する代替の機能を実行し、ＭＦＰ１は、操作パネル１５に表示させるべき画面をＰＣ２に表示させて、そのＰＣ２の表示画面からユーザによる入力を受け付けていることになる。これによりユーザは、ＰＣ２の前に居ながらＭＦＰ１の前に居る感覚で入力操作を行うことができる。
【００４９】
ユーザによりメニュー画面からジョブ選択画面への切換が指示されると、そのジョブ選択画面をディスプレイ２２に表示させて、その画面からユーザによるジョブ選択を受け付ける（ステップＳ１０）。ジョブ選択画面は、上記のＭＦＰ１の操作パネル１５に表示されるジョブ選択画面１１１（図４）に相当する。
ＰＣ２は、ジョブ選択画面の表示指示があった旨をＭＦＰ１に送り、ＭＦＰ１からジョブ選択画面表示のためのデータを取得してジョブ選択画面の表示を行う。この画面表示の方法は、次の別の画面についても同じなので、以下では説明を省略する。ここでは、メモリプリントが選択されたものとして説明する。
【００５０】
メモリプリントが選択されると、ファイル取得先選択画面を表示させて、その画面からプリントすべきファイルの取得先の、ユーザによる選択を受け付ける（ステップＳ１１）。このファイル取得先選択画面は、上記のファイル取得先選択画面１１２に相当する。ここでは、ＵＳＢメモリが選択されたものとして説明する。
ＵＳＢメモリが選択されると、ＵＳＢメモリ選択画面を表示させて、その画面から取得先のＵＳＢメモリの、ユーザからの選択を受け付ける（ステップＳ１２）。このＵＳＢメモリ選択画面は、上記ＵＳＢメモリ選択画面１１３に相当する。なお、このＵＳＢメモリ選択画面１１３の表示に際し、自己（ＰＣ２）に接続されているＵＳＢメモリ２５についての情報は、ＭＦＰ１からのＵＳＢメモリ選択画面１１３の中に、ＰＣ２のＵＳＢメモリ２５を示すウインドウ（窓）をオーバーラップするようにして（選択可能に）追加表示させて入力を受け付けるものとする。これによりＵＳＢメモリ選択画面には、ＭＦＰ１に接続されているＵＳＢメモリ（図４のＵＳＢメモリＡキーに相当）と、ＰＣ２に接続されているＵＳＢメモリ２５を示すキー（図４のＰＣ／ＵＳＢメモリキー１２３に相当）が表示され、ＵＳＢメモリ選択画面１１３と略同じデザインの画面が表示されることになる。ここでは、ＵＳＢメモリ２５を示すキーが選択されたものとして説明する。
【００５１】
ＵＳＢメモリ２５を示すキーが選択されると、ファイル選択画面を表示させて、その画面からプリントすべきファイルの、ユーザによる選択を受け付ける（ステップＳ１３）。このファイル選択画面は、上記ファイル選択画面１１４に相当する。ＰＣ２は、自己に接続されているＵＳＢメモリ２５に格納されているファイルの識別情報を読み出して、読み出した識別情報（ファイル名など）を表示させる。
【００５２】
ユーザによりファイルが選択されると、メモリプリント実行画面を表示させて、その画面からユーザによる用紙サイズや枚数などの実行条件を受け付けると共に実行指示を受け付け、実行指示があると、受け付けた情報（実行条件及び実行指示）をＭＦＰ１に送り（ステップＳ１４）、当該処理を終了する。ＭＦＰ１では、ＰＣ２から取得した情報（選択されたジョブ、ファイル名、実行条件など）に基づき、ジョブを実行する。
【００５３】
上記では、ユーザがＰＣ２からリモートパネル機能によるメモリプリント実行のための全ての入力操作が完了した場合の例を説明したが、操作途中でＭＦＰ１に移動する場合、すなわち図３で示す（４）の移動が発生したときの処理内容については、後述する。
（２）ＭＦＰの処理内容１
図６は、ＭＦＰ１においてＰＣ２からの認証要求を受け付けたときに実行される処理内容を示すフローチャートである。当該処理は、制御部１６において実行される。
【００５４】
同図に示すように、外部端末（ＰＣ２）から認証要求を受け付けると（ステップＳ２１）、認証の許否を判断する（ステップＳ２２）。この判断は、受け付けた要求に含まれるユーザ識別情報（ここでは、ユーザＩＤとパスワード）が上記の許可情報に含まれているか否かにより行われる。
認証を許可できないことを判断すると（ステップＳ２３で「ＮＯ」）、ＰＣ２に対して認証を許可できない旨を通知して（ステップＳ２６）、当該処理を終了する。
【００５５】
認証の許可を判断すると（ステップＳ２３で「ＹＥＳ」）、ＰＣ２に対して認証を許可する旨とリモートログインを許可する旨を通知すると共に（ステップＳ２４）、ログインされたことを示すログイン情報を記憶部１０６内のログイン情報テーブルに格納して（ステップＳ２５）、当該処理を終了する。
図７は、ログイン情報テーブル１５１の内容例を示す図である。
【００５６】
同図に示すように、ログイン情報テーブル１５１は、ログイン情報として、ログインを要求したユーザのユーザ名（ＩＤ）、ユーザのパスワード、ログインの要求元の識別情報、要求元のネットワークアドレスおよびログインを受け付けた時刻を示す情報が格納されている。ユーザ名とパスワードは、ＰＣ２からのリモートログインの要求に含まれるユーザ識別情報から取得される。ログインの要求元（外部端末）の識別情報とそのネットワークアドレスは、リモートログインによるＰＣ２との通信時に取得される。受付時刻は、内部タイマー（不図示）から取得される。
【００５７】
上記のようにログインには、操作パネル１５からのものと外部端末からのリモートによるものが含まれるので、制御部１６は、いずれからのものでもログインを受け付ける（許可する）毎に、そのログイン情報をログイン情報テーブル１５１に書き込み、ログアウトされる毎に、そのログアウトに対応するログイン情報をログイン情報テーブル１５１から削除する。図７は、同じユーザ名のユーザがＰＣ（外部端末）からリモートログインしており、その後に操作パネル１５からログインしている状態（両方がログイン中）の例を示している。
【００５８】
（３）ＭＦＰの処理内容２
図８〜図１０は、ＭＦＰ１において操作者により操作パネル１５からログインの要求を受け付けたときに実行される処理内容を示すフローチャートである。
図８に示すように、操作者による操作パネル１５からのログインの要求、ここでは識別情報としてユーザＩＤとパスワードの入力を受け付ける（ステップＳ３１）。識別情報の入力受付画面が操作パネル１５に表示され、操作者からの入力が受け付けられる。
【００５９】
操作者により入力された識別情報に基づきログインを受け付けるか否かを判断する（ステップＳ３２）。ここでは、入力された識別情報（ユーザＩＤとパスワード）が、予めユーザ管理部１０３に管理（記憶）されている許可情報に含まれている場合に、ログインを受け付け、許可情報に含まれていない場合には、ログインを受け付けないとする。
ログインを受け付けないことを判断すると（ステップＳ３２で「ＮＯ」）、当該処理を終了する。ログインを受け付けることを判断すると（ステップＳ３２で「ＹＥＳ」）、入力された識別情報を保持する（ステップＳ３３）。
【００６０】
操作パネル１５の液晶表示部にジョブ選択画面１１１（図４）を表示させる（ステップＳ３４）。ジョブ選択画面１１１において操作者によりメモリプリントキー１２１以外のスキャンやコピーキーが押下されると、メモリプリントが選択されなかったと判断として（ステップＳ３５で「ＮＯ」）、ステップＳ４３に移る。ステップＳ４３では、選択されたジョブの操作を受け付けると共に実行指示があるとその指示に基づきジョブを実行して、当該処理を終了する。
【００６１】
一方、メモリプリントキー１２１が押下されると（ステップＳ３５で「ＹＥＳ」）、操作者からのメモリプリントの指示入力を受け付けたとして、操作パネル１５の液晶表示部の画面を、ファイル取得先選択画面１１２（図４）に切り換える（ステップＳ３６）。
ファイル取得先選択画面１１２において操作者によりＵＳＢメモリキー１２２が押下されたか否かを判断する（ステップＳ３７）。ＵＳＢメモリキー１２２以外のキーの押下を判断すると（ステップＳ３７で「ＮＯ」）、ステップＳ４３に移る。この場合、選択された取得先からのファイル取得等の処理が行われる。
【００６２】
ＵＳＢメモリキー１２２の押下を判断すると（ステップＳ３７で「ＹＥＳ」）、リモートログイン中であるか否かを判断する（ステップＳ３８）。この判断は、上記ログイン情報テーブル１５１に書き込まれているログイン情報の要求元欄を参照することにより行われる。具体的には、要求元欄に外部端末を示す情報が存在する場合にはその外部端末からのリモートログインが継続しており、逆に、外部端末を示す情報が存在しない（自装置であるＭＦＰ１だけの）場合には、リモートログイン中ではないと判断する。
【００６３】
リモートログイン中ではないと判断すると（ステップＳ３８で「ＮＯ」）、ステップＳ４３に移る。この場合、ＵＳＢメモリ選択画面１１３において自装置に接続されているＵＳＢメモリだけからの選択が受け付けられて、選択されたＵＳＢメモリによるメモリプリントが実行される。自装置に接続されているＵＳＢメモリしか選択できないのは、この場合、後述のステップＳ４７以降の処理が実行されないので、ＰＣ２に接続されているＵＳＢメモリ２５の情報が取得されず、よってＵＳＢメモリ選択画面１１３にはＰＣ２のＵＳＢメモリ２５を示すアイコンが表示されず、自装置（ＭＦＰ１）に接続されているＵＳＢメモリを表すアイコンだけが表示されることになるからである。
【００６４】
一方、リモートログイン中と判断すると（ステップＳ３８で「ＹＥＳ」）、自装置（ＭＦＰ１）の操作パネル１５からログインした操作者が、リモートログイン中のユーザ（リモートログインを要求したユーザ）であるか否かを判断する（ステップＳ３９）。この判断は、ログイン情報テーブル１５１に書き込まれているログイン情報を参照することにより行われる。具体的には、ログイン情報のうち、要求元が自装置であるユーザに対応するユーザＩＤとパスワードが、要求元がＰＣ２（外部端末）であるユーザに対応するユーザＩＤとパスワードと一致している場合には肯定的な判断を行い、一致していない場合には否定的な判断を行う。図７の例では、Ｎｏ．１とＮｏ．２それぞれのログイン情報のパスワードが同じであれば、肯定的な判断がなされることになる。
【００６５】
自装置からログインした操作者がリモートログイン中のユーザではないと判断すると（ステップＳ３９で「ＮＯ」）、ステップＳ４３に移る。この場合、リモートログイン中であってもログインを要求したユーザが異なるので、リモートログイン中ではない場合（ステップＳ３８で「ＮＯ」）と同様の処理が行われる。
一方、自装置からログインした操作者がリモートログイン中のユーザであると判断すると（ステップＳ３９で「ＹＥＳ」）、ステップＳ４０に移る。ここでは、ユーザＺがリモートログインを要求したユーザであり、操作パネル１５からログインした操作者である場合の例を示している。以下、操作者とは、ユーザＺのことであるとして説明する。
【００６６】
ステップＳ４０では、リモート要求元の外部の端末装置、ここではＰＣ２に対し、ＰＣ２に接続されているＵＳＢメモリのパスを要求する。この要求を受けたときのＰＣ２の処理内容については後述するが、概略するとＰＣ２は、自装置（ＰＣ２）に接続されているＵＳＢメモリそれぞれのパスと名称などを示すＵＳＢメモリ情報を要求元（ここでは、ＭＦＰ１）に送信する。なお、ＵＳＢメモリが接続されていない場合には未接続とされる。
【００６７】
ＰＣ２からＵＳＢメモリ情報を取得すると、取得したＵＳＢメモリ情報を保持し（ステップＳ４１）、保持したＵＳＢメモリ情報を参照してＵＳＢメモリの個数が１以上か否かを判断する（ステップＳ４２）。個数が１以上ではない、すなわちゼロ（未接続）であると判断すると（ステップＳ４２で「ＮＯ」）、ステップＳ４３に移る。この場合、ＰＣ２においてファイル取得先がないことになるので、ステップＳ４３では、メモリプリント以外のジョブの実行を受け付ける等の処理を行う。
【００６８】
ＵＳＢメモリの個数が１以上であることを判断すると（ステップＳ４２で「ＹＥＳ」）、図９に移り、その個数が閾値以上か否かを判断する（ステップＳ４４）。この判断を行うのは、次の理由による。すなわち、後述のようにＰＣ２に対してＵＳＢメモリの共有設定を要求すると共に共有されたＵＳＢメモリを操作パネル１５に画面表示して操作者からの指定を受け付けるようにしている。このためＵＳＢメモリの数があまりに多いと、全てのＵＳＢメモリに対する共有設定の要求や全てのＵＳＢメモリを画面表示させるための処理に要する時間と負担が大きくなる。そこで、ＵＳＢメモリの個数が閾値以上の場合には、その中から必要なものの選択を操作者から受け付けて、共有要求の対象となるべきＵＳＢメモリを制限するためである。閾値は、予め決められていても良いし、管理者などにより別途、設定されるとしても良い。
【００６９】
ＵＳＢメモリの個数が閾値より少ないと判断すると（ステップＳ４４で「ＮＯ」）、ステップＳ４７に移る。一方、ＵＳＢメモリの個数が閾値以上であると判断すると（ステップＳ４４で「ＹＥＳ」）、ＰＣ２に接続されているＵＳＢメモリの一覧を表示するＵＳＢメモリ一覧画面１１５（図１１）を操作パネル１５に表示させて（ステップＳ４５）、その画面１１５から操作者によるＵＳＢメモリの選択を受け付ける（ステップＳ４６）。
【００７０】
ＵＳＢメモリ一覧画面１１５に表示されるＵＳＢメモリを示すキー１３１、１３２・・は、上記保持されているＵＳＢメモリ情報に含まれるパスの情報に基づいて生成される。操作者は、一覧から希望するＵＳＢメモリをタッチ入力により選択することができる。
図９に戻り、ステップＳ４７では、ＰＣ２に接続されているＵＳＢメモリ２５（ステップＳ４６で選択が行われた場合にはその選択されたＵＳＢメモリ）のうち、共有設定を要求していないＵＳＢメモリがあるか否かを判断する。初めてステップＳ４７を実行する場合は、共有設定を未だ要求していないので、共有設定を要求していないＵＳＢメモリがあると判断される。この判断がなされると（ステップＳ４７で「ＹＥＳ」）、上記保持されているＵＳＢメモリ情報を参照し、１以上のＵＳＢメモリのうち、１つのＵＳＢメモリについてそのパスをＰＣ２に送ると共にそのＵＳＢメモリの共有設定、ここではＳＭＢによる共有設定を要求する（ステップＳ４８）。
【００７１】
この要求を受け付けたときにＰＣ２において実行される処理については、後述するが、概略するとＰＣ２は、当該要求を受け付けると、要求されたＵＳＢメモリを共有するための条件として一時的なパスワードを設定して、設定されたパスワードと、リモートログイン中のユーザ名（そのユーザ、ここではＺがＰＣ２にログインするときに用いたユーザ名）とを共有設定としてＭＦＰ１に返信するようになっている。
【００７２】
ステップＳ４９では、ＰＣ２から送られて来る共有設定（パスワードとユーザ名）を取得して、ステップＳ５０では、取得した共有設定とこれに対応するＵＳＢメモリのパスとを対応付けて保持、ここでは記憶部１０６内の共有設定テーブルに書き込む。
図１２は、共有設定テーブル１５２の内容例を示す図である。
同図に示すように、共有設定テーブル１５２には、共有設定情報として、外部端末（ＰＣ２）の識別情報と、その端末におけるＵＳＢメモリのパスと、一時的に設定されたパスワードと、ユーザ名とが対応付けられた情報が書き込まれている。ＵＳＢメモリが複数ある場合には、ＵＳＢメモリ毎に１行ずつその共有設定情報が書き込まれるようになっている。従って、共有設定テーブル１５２を参照することにより、ＰＣ２において共有されている各ＵＳＢメモリのパスやパスワードの情報を取得することができる。なお、後述のように共有が解除されると、共有が解除されたＵＳＢメモリに対する共有設定情報が共有設定テーブル１５２から消去される。
【００７３】
図９に戻って、ステップＳ５０において一つのＵＳＢメモリに対する共有設定等を保持すると、ステップＳ４７に戻り、共有要求をしていないＵＳＢメモリが残っているか否かを判断する。まだ、残っていると判断すると（ステップＳ４７で「ＹＥＳ」）、全てのＵＳＢメモリ（ステップＳ４６で選択が行われた場合には、選択された全てのＵＳＢメモリ）について、ステップＳ４８〜Ｓ５０の処理を繰り返し実行して共有設定を依頼する。例えば、ＰＣ２にＵＳＢメモリが１つしか接続されていない場合には、ステップＳ４７〜Ｓ５０の処理が１回行われた後、ステップＳ５１に移ることになる。
【００７４】
共有要求をまだ行っていないＵＳＢメモリがないことを判断すると（ステップＳ４７で「ＮＯ」）、ステップＳ５１に移る。ステップＳ５１では、ファイル取得先の選択を操作者から受け付けるためのＵＳＢメモリ選択画面１１３（図４）を操作パネル１５に表示させる。ＵＳＢメモリ選択画面１１３には、自装置（ＭＦＰ１）に接続されているＵＳＢメモリとＰＣ２において共有設定されているＵＳＢメモリとが表示される。
【００７５】
ＰＣ２で共有設定されているＵＳＢメモリの表示は、共有設定テーブル１５２に書き込まれている共有設定情報に基づき表示される。ここでは、共有設定情報のパス欄に書き込まれているＰＣ２のパスの数だけＵＳＢメモリが存在しているとして、パス毎にそのパスに示されるドライブ名とＵＳＢメモリの名称をアイコン表示する。図４は、ＵＳＢメモリ選択画面１１３にＭＦＰ１に接続されている１つのＵＳＢメモリ（ＵＳＢメモリＡキー）と、ＰＣ２に接続されている１つのＵＳＢメモリ（ＰＣ／ＵＳＢメモリキー１２３）とがアイコン表示されている例を示している。
【００７６】
図９のステップＳ５２では、ＵＳＢメモリ選択画面１１３から操作者によるＵＳＢメモリの選択を受け付ける。例えば、ＰＣ／ＵＳＢメモリキー１２３がタッチ入力された、すなわちＰＣ２のＵＳＢメモリ２５が選択されると、選択されたＵＳＢに格納されているファイルを示すファイル選択画面１１４（図４（ａ））を操作パネル１５に表示させる（ステップＳ５３）。このファイルの表示は、ＭＦＰ１が共有設定テーブル１５２に書き込まれている共有設定情報（ユーザ名、パス、パスワードなど）に基づきＳＭＢによりＰＣ２の共有フォルダを参照することにより行われる。
【００７７】
ここでは、選択されたＵＳＢメモリに対するパスとパスワード、ユーザ名を読み出して、読み出したパスとパスワード、ユーザ名をＰＣ２に渡す。ＰＣ２では、ＭＦＰ１から取得したユーザ名がＰＣ２においてログインを許可する対象のユーザであることを判断し、かつ取得したパスについてそのパスに係るパスワードが事前に設定した一時的なパスワードと一致したときにだけ、そのパスへのアクセスを許可する。ＭＦＰ１は、ＰＣ２でアクセス許可されると、パスに示されるＵＳＢメモリのフォルダにアクセスして、そのフォルダに格納されているファイル群を参照する。
【００７８】
ファイル選択画面１１４から操作者によるファイルの選択を受け付ける（ステップＳ５４）。そして、操作者によりファイルが選択、例えばファイル名を示すキー１２４がタッチ入力されると、選択されたファイルのプリントを実行するためのメモリプリント実行画面を操作パネル１５に表示させる（ステップＳ５５）。このメモリプリント実行画面は、図示していないがプリントの実行条件、例えばプリント枚数や部数、濃度設定、両面や２イン１などの各種機能などの実行条件の入力を操作者から受け付けるための画面である。
【００７９】
図１０に移ってステップＳ５６では、操作者からメモリプリントの実行条件を受け付け、ステップＳ５７では、操作者からメモリプリントの実行指示を受け付けるとメモリプリントを実行する。具体的には、ステップＳ５４で選択を受け付けたファイルをＰＣ２からＬＡＮ３を介して取得して、取得したファイルによるプリントジョブを、ステップＳ５６で受け付けた実行条件に基づいて実行する。この意味で、制御部１６は、ステップＳ４０〜Ｓ５７の処理を実行するときに、リモートログイン中の操作者による、操作パネル１５からの画像処理ジョブの実行指示に基づきＰＣ２にアクセス許可を受けてＰＣ２からファイルを取得するファイル操作手段として機能するものといえる。
【００８０】
プリント実行後に操作パネル１５から操作者によるログアウトのための操作入力を受け付けると（ステップＳ５８）、ＰＣ２において共有のままになっているＵＳＢメモリが存在するか否かを判断する（ステップＳ５９）。この判断は、共有設定テーブル１５２を参照することにより行われる。具体的には、共有設定テーブル１５２にＰＣ２に対する共有設定情報が書き込まれたままの状態の場合には、肯定的な判断を行い、書き込まれていない（消去されている）場合には、否定的な判断を行う。
【００８１】
共有のＵＳＢメモリが存在することを判断すると（ステップＳ５９で「ＹＥＳ」）、共有設定テーブル１５２を参照して、共有されている全てのＵＳＢメモリのパスとパスに対応するパスワードとユーザ名とをＰＣ２に送信すると共に共有の解除を要求する（ステップＳ６０）。後述のように、ＰＣ２は、ＭＦＰ１からの共有解除要求を受け付けると、要求されたＵＳＢメモリの共有設定を解除して、解除した旨の通知をＭＦＰ１に送信する。
【００８２】
ＭＦＰ１は、ＰＣ２からの解除の通知を受信すると、解除された共有設定を消去、すなわち共有の解除を要求したＵＳＢメモリに対する共有設定情報を共有設定テーブル１５２から消去して（ステップＳ６２）、ステップＳ５９に戻る。
ステップＳ５９では、再度、共有のままになっているＵＳＢメモリの存在の有無を判断する。共有設定テーブル１５２にＰＣ２に対する共有設定情報が書き込まれていない、すなわち既に消去されている場合には、共有のＵＳＢメモリが存在しないと判断して（ステップＳ５９で「ＮＯ」）、ログアウトして（ステップＳ６３）、当該処理を終了する。
【００８３】
（４）ＰＣの処理内容２
図１３は、リモートログイン中にＰＣ２がＭＦＰ１からのＵＳＢメモリのパスの送信要求（ステップＳ４０）を受け付けたときにＰＣ２において実行される処理内容を示すフローチャートである。
同図に示すように、ＭＦＰ１からのパスの送信要求を受け付けると（ステップＳ７１）、自装置（ＰＣ２）の全ドライブのうち、ＵＳＢメモリが接続されているドライブを検出し、検出されたドライブに接続されているＵＳＢメモリのパス（例えば、ドライブ名）とＵＳＢメモリの名称などを読み出して、読み出した情報をＵＳＢメモリ情報として保持する（ステップＳ７２）。全てのＵＳＢメモリについてＵＳＢメモリ情報の保持が完了したか否かを判断する（ステップＳ７３）。ＵＳＢメモリが複数ある場合には、完了していないと判断して（ステップＳ７３で「ＮＯ」）、ステップＳ７２に戻り、別のＵＳＢメモリについてＵＳＢメモリ情報の保持を実行する。
【００８４】
全てのＵＳＢメモリに対してＵＳＢメモリ情報の保持が完了するまでステップＳ７２、Ｓ７３の処理を繰り返し実行する。全てのＵＳＢメモリについてＵＳＢメモリ情報の保持を判断すると（ステップＳ７３で「ＹＥＳ」）、保持しているＵＳＢメモリ情報を要求元、ここではＭＦＰ１に送り（ステップＳ７４）、当該処理を終了する。なお、ＵＳＢメモリが１つも接続されていない場合には、ＵＳＢメモリ情報には未接続の旨が示される。
【００８５】
（５）ＰＣの処理内容３
図１４は、リモートログイン中にＰＣ２がＭＦＰ１からのＵＳＢメモリの共有設定の要求（ステップＳ４８）を受け付けたときにＰＣ２において実行される処理内容を示すフローチャートである。
同図に示すように、ＭＦＰ１からの共有設定の要求を受け付けると（ステップＳ８１）、要求と共に送られてくるＵＳＢメモリのパスに、ランダムな一時的に生成されたパスワードを付与して共有を設定する（ステップＳ８２）。このパスワードは、共有されたパスに対応付けて保持され、上記のようにＭＦＰ１からＵＳＢメモリのフォルダへのアクセスがあったときの許否の判断に用いられる。ＭＦＰ１から複数のパスが送られた場合には、パス毎に上記と同じ共有設定を行う。
【００８６】
共有設定が終了すると、ユーザ名（ユーザＺがＰＣ２にログインするときのユーザ名）と、パス毎にそのパスに一時的に設定されたパスワードとをＭＦＰ１に送信して（ステップＳ８３）、当該処理を終了する。
（６）ＰＣの処理内容３
図１５は、リモートログイン中にＰＣ２がＭＦＰ１からＵＳＢメモリへのアクセス要求（ステップＳ５１）を受け付けたときにＰＣ２において実行される処理内容を示すフローチャートである。
【００８７】
同図に示すように、ＭＦＰ１からのアクセス要求を受け付けると（ステップＳ８５）、要求と共に送られてくるユーザ名が、ＰＣ２が自己で管理しているログインを許可する対象のユーザ名と一致するか否かを判断する（ステップＳ８６）。ここでは、ユーザＺのものについて一致が判断される。
ユーザ名が一致することを判断すると（ステップＳ８６で「ＹＥＳ」）、ＭＦＰ１からの要求と共に送られてくるパスワードがステップＳ８２で設定したパスワードと一致しているか否かを判断する（ステップＳ８７）。パスワードが一致していることを判断すると（ステップＳ８７で「ＹＥＳ」）、アクセスを許可して（ステップＳ８８）、当該処理を終了する。なお、ユーザ名が一致していないことを判断すると（ステップＳ８６で「ＮＯ」）、アクセスを許可せずに（ステップＳ８９）、当該処理を終了する。また、パスワードが一致していないことを判断すると（ステップＳ８７で「ＮＯ」）、アクセスを許可せずに（ステップＳ８９）、当該処理を終了する。なお、上記では、アクセス許可の条件としてユーザ名とパスワードの一致を含むとしたが、これに限られない。例えば、ユーザ名を取得しない場合にパスワードの一致を判断する構成や、これ以外の方法を許可条件として用いる構成などをとることも可能である。
【００８８】
（７）ＰＣの処理内容４
図１６は、リモートログイン中にＰＣ２がＭＦＰ１からのＵＳＢメモリの共有設定解除の要求（ステップＳ６０）を受け付けたときにＰＣ２で実行される処理内容を示すフローチャートである。
同図に示すように、ＭＦＰ１からの共有設定解除の要求を受け付けると（ステップＳ９１）、要求と共に送られてくるＵＳＢメモリのパスとパスワードとユーザ名に基づき共有を解除する（ステップＳ９２）。具体的には、ＰＣ２は、ＭＦＰ１から取得したユーザ名がＰＣ２においてログインを許可する対象のユーザであることを判断し、かつ取得したパスについてそのパスに係るパスワードがステップＳ８２で設定したパスワードと一致すると、そのパスに示されるＵＳＢメモリに設定された共有を解除する。この共有の解除と共に保持されていたパスワードを消去する。共有解除の要求が複数のＵＳＢメモリに対するものである場合には、一つずつ上記の共有解除が行われる。
【００８９】
共有解除が終了するとその旨を示す共有設定解除の通知をＭＦＰ１に送信して（ステップＳ９３）、当該処理を終了する。
（８）ＰＣの処理内容５
図１７は、リモートログイン中にＭＦＰ１からＰＣ２に戻ったユーザがＰＣ２のログアウトを行うときにＰＣ２において実行される処理内容を示すフローチャートである。
【００９０】
同図に示すように、ＰＣ２は、ユーザからＰＣ２からのログアウト、またはリモートパネルのログアウトのための入力をキーボート２３等から受け付けると（ステップＳ９５）、共有設定されているＵＳＢメモリが存在するか否かを判断する（ステップＳ９６）。共有設定されているＵＳＢメモリが存在することを判断すると（ステップＳ９６で「ＹＥＳ」）、その共有を解除して（ステップＳ９８）、ステップＳ９６に戻る。
【００９１】
ステップＳ９６では、再度、共有設定されているＵＳＢメモリの存在の有無を判断し、共有設定されているＵＳＢメモリが存在すれば、ステップＳ９８に移って共有解除を実行する。共有されているＵＳＢメモリが存在しないと判断すると（ステップＳ９６で「ＮＯ」）、全てのＵＳＢメモリについて共有が解除されたとして、ＰＣ２からログアウト、またはリモートパネルをログアウトした後（ステップＳ９７）、当該処理を終了する。これによりリモートログインによりＭＦＰ１との間で確立されていた通信が切断される。なお、リモートログイン時から所定時間が経過してタイムアウトになった場合には、自動的に通信が切断される場合もある。
【００９２】
以上説明したように、ＭＦＰ１は、リモートログイン中のユーザにより操作パネル１５からログインされてメモリプリントが指示されると、リモートログイン時に取得したＰＣ２のネットワークアドレスを用いてＰＣ２にアクセスすることにより、ＰＣ２に接続されているＵＳＢメモリの情報、ＵＳＢメモリに格納されているファイルの情報およびそのファイルを取得するので、ユーザにとって従来のようにＭＦＰ１からＰＣ２の共有にアクセスするためにネットワークアドレス等を入力する手間が不要になり、操作性が向上する。
【００９３】
本発明は、画像処理システムに限られず、当該画像処理システムに含まれる画像処理装置、端末装置にも適用することができる。また、当該画像処理システムにおけるファイルの取得方法または後述するファイルの格納方法であるとしてもよい。さらに、その方法をコンピュータが実行するプログラムであるとしてもよい。また、本発明に係るプログラムは、例えば磁気テープ、フレキシブルディスク等の磁気ディスク、ＤＶＤ−ＲＯＭ、ＤＶＤ−ＲＡＭ、ＣＤ−ＲＯＭ、ＣＤ−Ｒ、ＭＯ、ＰＤなどの光記録媒体、フラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【００９４】
（変形例）
以上、本発明を実施の形態に基づいて説明してきたが、本発明は、上述の実施の形態に限定されないのは勿論であり、以下のような変形例が考えられる。
（１）上記では、メモリプリントについて説明したが、例えばスキャンジョブの場合にも同様に適用される。例えば、図４（ａ）のジョブ選択画面１１１からユーザがスキャンを選択した場合には、原稿のスキャンにより得られた画像ファイルの格納方法を選択する画面が表示される。この画面は、例えばファイル取得先選択画面１１２と同様のデザインの画面であり、ＵＳＢメモリを示すアイコンが表示される。
【００９５】
ユーザによりＵＳＢメモリが選択されると、次に格納先のＵＳＢメモリを選択するための画面が表示される。この画面は、例えばＵＳＢメモリ選択画面１１３と同様のデザインの画面であり、ＰＣ２のＵＳＢメモリ２５を示すアイコンが表示される。この表示は、上記のステップＳ４０以降の処理と同じ処理が実行されることにより実現される。
ユーザによりＰＣ２のＵＳＢメモリ２５が選択されると、次にファイル選択画面が表示される。この画面は、例えばファイル選択画面１１４と同様のデザインの画面であり、ここではスキャンにより得られたファイルを示すアイコンが表示される。ユーザは、この画面からファイルを選択することができる。
【００９６】
ユーザによりファイルが選択されると、選択されたファイル（スキャン画像のファイル）がＬＡＮ３を介してＰＣ２に送られ、ＰＣ２に接続されているＵＳＢメモリ２５に格納されることになる。このジョブをScan To USBという。
（２）上記実施の形態では、ＭＦＰ１の操作パネル１５からのログインとＰＣ２からＭＦＰ１へのリモートログインにユーザＩＤやパスワードを用いるとしたが、ユーザ識別によりログインの許否を判断できる方法であれば、これに限られない。また、ＭＦＰ１からＰＣ２に共有設定を要求するとしたが、例えば記録媒体が元々共有されている構成もあり得ることから、例えば共有の設定状態をＰＣ２に確認し、共有されていない場合に共有を要求するとしても良い。さらに、共有ではなく、例えばＭＦＰ１がＰＣ２に接続されているＵＳＢメモリへのアクセス許可を要求して、許可されるとアクセスしてＵＳＢメモリからファイルを取得する、またはファイルをＵＳＢメモリに格納するとしても良い。
【００９７】
（３）上記実施の形態では、端末装置に装着されている記録媒体として可搬型のＵＳＢメモリ２５を用いた場合の例を説明したが、これに限られない。例えば、ＳＤメモリーカード、スマートメディアなどとしても良い。また、例えばＭＦＰ１にハードディスクが内蔵されている場合にそのハードディスクとすることもできる。
この場合、ファイル取得先選択画面１１２では、ＵＳＢメモリに代えて、そのハードディスクをファイル取得先として選択可能に構成し、ＵＳＢメモリ選択画面１１３では、ＵＳＢメモリに代えて、ＭＦＰ１のハードディスクとＰＣ２のハードディスクとを選択可能に構成すれば良い。ＰＣ２のハードディスクが選択された場合には、例えばＰＣ２のハードディスク内のフォルダやファイルのうち、共有設定されているものをファイル選択画面１１４に表示させて、そのフォルダやファイル群の中からユーザの希望するファイルの選択を受け付ける構成をとることが可能である。
【００９８】
（４）上記実施の形態では、図４においてファイル取得先選択画面１１２でＵＳＢメモリが選択されると、ＵＳＢメモリ選択画面１１３に切り換わり、ＵＳＢメモリ選択画面１１３でＰＣ／ＵＳＢメモリキー１２３が押下されると、ファイル選択画面１１４に切り換わる構成としたが、これに限られない。例えば、ＭＦＰ１にＵＳＢメモリの接続機能がないような場合には、ファイル取得先選択画面１１２でＵＳＢメモリが選択されると、外部の端末装置のものが指定されたとして、ＵＳＢメモリ選択画面１１３を飛ばして（表示させないで）、ファイル選択画面１１４に切り換える構成としても良い。この構成をとる場合、上記ステップＳ３５とＳ３６の処理が不要になる。このようにすれば操作者の入力がさらに簡略化され、操作性のさらなる向上を図れる。
【００９９】
（５）上記実施の形態では、本発明に係る画像処理装置を複写機に適用した場合の例を説明したが、これに限られない。端末装置とネットワーク接続される画像処理装置であり、端末装置に装着されている記録媒体から当該記録媒体に格納されているファイルをネットワークを介して取得して、取得したファイルに基づく画像形成を行うプリントジョブ、画像処理装置で読み取って得られたファイルを端末装置にネットワークを介して送信して、当該端末装置に装着されている記録媒体に格納するスキャンジョブなどの画像処理ジョブを少なくとも１つ実行可能な画像処理装置であれば、例えばプリンタ、スキャナ、ＦＡＸ等の画像処理装置に適用できる。また、操作者からのログインと画像処理ジョブの指示入力を受け付ける入力手段として操作パネル１５を用いた例を説明したが、これに限られない。操作者からの入力を受け付ける機能を有する入力手段一般に適用できる。
【０１００】
また、上記実施の形態及び上記変形例の内容をそれぞれ組み合わせるとしても良い。
【産業上の利用可能性】
【０１０１】
本発明は、端末装置と画像処理装置とがネットワーク接続され、端末装置から画像処理装置にリモートログインして画像処理ジョブを実行する画像処理システムおよび画像処理装置に広く適用することができる。
【符号の説明】
【０１０２】
１      ＭＦＰ
２      端末装置
３      ネットワーク
１０      画像処理システム
１２      画像読取部
１３      画像形成部
１６、２４      制御部
２５      ＵＳＢメモリ
１０２      表示受付制御部
１０３      ユーザ管理部
１０４      共有要求部
１０５      ネットワーク参照部
１０６      記憶部
１１２      ファイル取得先選択画面
１１３      ＵＳＢメモリ選択画面
１１４      ファイル選択画面
１１５      ＵＳＢメモリ一覧画面
１５１      ログイン情報テーブル
１５２      共有設定テーブル
２０１      リモート操作部
２０２      ＵＳＢメモリ管理部
２０３      共有処理部
【図１】
2010212993.tif 000003
【図２】
2010212993.tif 000004
【図３】
2010212993.tif 000005
【図４】
2010212993.tif 000006
【図５】
2010212993.tif 000007
【図６】
2010212993.tif 000008
【図７】
2010212993.tif 000009
【図８】
2010212993.tif 000010
【図９】
2010212993.tif 000011
【図１０】
2010212993.tif 000012
【図１１】
2010212993.tif 000013
【図１２】
2010212993.tif 000014
【図１３】
2010212993.tif 000015
【図１４】
2010212993.tif 000016
【図１５】
2010212993.tif 000017
【図１６】
2010212993.tif 000018
【図１７】
2010212993.tif 000019